(57)【要約】【課題】  部品点数の低減や各部品の形状の簡素化によりコストを削減するとともに、穴開け作業も手間が掛からないようにする木造建築用仕口取付具を提供する。【解決手段】  取付具Ａは、プレート１と、プレート１の側部に突設された突出部２とからなる。突出部２は、プレートの平面と直交方向に延びる貫通孔２０と、各刃部４１ｂ，４２ｂが突出部２の貫通孔２０から突出できるように貫通孔２０に移動可能に配置された一対の刃金４１，４２と、突出部２の基端側から貫通孔２０に連通する一対の挿入穴２１，２２と、挿入穴２１，２２に突出部２の基端側から打ち込まれることで、刃金４１，４２の刃部４１ｂ，４２ｂを貫通孔２０から突出させるように刃金４１，４２の基端側を押し退けるくさび３０とを備える。くさび３０を挿入穴２１，２２に打ち込んだ状態では、刃部４１ｂ，４２ｂが貫通孔２０から突出し、木質部材５０に食い込む。【選択図】      図７
2005120616.tif 000002
【特許請求の範囲】
【請求項１】
プレートと、このプレートの側部に突設された突出部とからなり、
前記突出部は、
前記プレートの平面と交差する方向に延びる貫通孔と、
各刃部が前記突出部の貫通孔から突出できるように前記貫通孔に移動可能に配置された一対の刃金と、
前記突出部の基端側から前記貫通孔に連通する一対の挿入穴と、
前記挿入穴に前記突出部の基端側から打ち込まれることで、前記刃金の刃部を前記貫通孔から突出させるように前記刃金の基端側を押し退けるくさびと、
を備えることを特徴とする木造建築用仕口取付具。
【請求項２】
前記刃金は、前記くさびが当接する作用部と、この作用部に連続する先鋭の刃部とからなり、この一対の刃金は、各々の作用部が相対接触するとともに、各々の刃部が前記貫通孔の一方側及び他方側から突出するように、前記貫通孔に対称的に配置されることを特徴とする請求項１記載の木造建築用仕口取付具。
【請求項３】
前記一対の挿入穴は、それぞれ前記突出部の基端の外寄り位置から前記貫通孔を通って突出部の先端の中央寄り位置まで斜めに延びることを特徴とする請求項２記載の木造建築用仕口取付具。
【請求項４】
前記くさびは、Ｕ字状の棒状当接部と、この棒状当接部の中央端に設けられた柄とからなる工具を用いて前記突出部の挿入穴に打ち込まれることを特徴とする請求項１、請求項２又は請求項３記載の木造建築用仕口取付具。
【発明の詳細な説明】
【技術分野】
【０００１】
この発明は、木質部材同士を特殊な形状の金具により接合する木造建築用仕口取付具に関する。
【背景技術】
【０００２】
木造軸組工法には様々なものがあるが、その中に特殊な形状の取付具（金具）を用いて木造の軸組を構築する工法がある。この工法の例として、図１１及び図１２に示すような略四角形状の取付具（金具）Ｂと、半月状の金具（図示せず）の２つの金具（他にボルトやＤピンを用いる）で全ての木質部材を接合する工法がある。金具Ｂは、Ｕ字状切欠６１と円形孔６２を有するプレート６０の側部に設けられた２つの突片６３，６４に、それぞれ図のような形状の金属部材６５，６６が溶接されたものである。取付具Ｂなどは、仕口取付具と呼ばれる。
【０００３】
本願出願人は、上記取付具Ｂに対し、取付具を木質部材に確実且つ容易に固定できるようにするために、取付具Ｂの改良型として、プレートと、このプレートの側部に突設された２個の突出部とで取付具を構成し、突出部は、プレートの側部に接合された基部材と、基部材に間隔を置いて取付けられた先端部材と、基部材と先端部材との間隙に摺動可能に挟持され、基部材及び先端部材の外周よりも突出可能な係止部材とを備える取付具を提案した（例えば、特許文献１参照）。この取付具では、突出部を木質部材の穴に挿入した後、適当な工具によって係止部材を動かして外側に突出させ、穴の途中に形成した部分穴に係止部材を係合させる。
【特許文献１】特許第２７４４７６９号公報
【発明の開示】
【発明が解決しようとする課題】
【０００４】
しかしながら、上記公報記載の取付具では、突出部が基部材、先端部材及び係止部材（半円部分からなるもの）からなる上に、突出ピン、ボールプランジャ、ネジなどの部品を必要とし、部品点数が多く、各部品の形状も複雑であり、コストが高くなる。しかも、取付具を固定する木質部材には、突出部を挿入するための円柱状穴だけでなく、係止部材（半円部分）を突出させるために、円柱状穴に当該穴の径よりも大きい径の円板状の部分穴を同心上に形成する必要があり、穴開け作業も手間が掛かる。
【０００５】
この発明は、そのような問題点に着目してなされたもので、部品点数の低減や各部品の形状の簡素化によりコストを削減するとともに、穴開け作業も手間が掛からないようにする木造建築用仕口取付具を提供することを目的とする。
【課題を解決するための手段】
【０００６】
前記目的を達成するために、本発明の木造建築用仕口取付具は、プレートと、このプレートの側部に突設された突出部とからなり、突出部は、プレートの平面と交差する方向に延びる貫通孔と、各刃部が突出部の貫通孔から突出できるように貫通孔に移動可能に配置された一対の刃金と、突出部の基端側から貫通孔に連通する一対の挿入穴と、挿入穴に突出部の基端側から打ち込まれることで、刃金の刃部を貫通孔から突出させるように刃金の基端側を押し退けるくさびとを備えることを特徴とする。
【０００７】
この取付具では、突出部の貫通孔に一対の刃金を配置した上で、木質部材に形成した穴に突出部を差し込んだ後、突出部の基端側から挿入穴にくさびを打ち込む。すると、くさびによって刃金の基端側が押し退けられ、刃金の刃部が貫通孔から突出し、木質部材に食い込む。しかも、打ち込んだくさびにより、刃金の刃部が木質部材に食い込んだ状態が保持される。その結果、突出部が木質部材の穴から抜けなくなり、取付具が木質部材に固定される。
【０００８】
この取付具において、具体的に刃金は、くさびが当接する作用部と、この作用部に連続する先鋭の刃部とからなり、この一対の刃金は、各々の作用部が相対接触するとともに、各々の刃部が貫通孔の一方側及び他方側から突出するように、貫通孔に対称的に配置されるのが好適である。
【０００９】
この場合、一対の挿入穴は、それぞれ突出部の基端の外寄り位置から貫通孔を通って突出部の先端の中央寄り位置まで斜めに延びるのが好ましい。
【００１０】
また、くさびを打ち込むための工具としては、Ｕ字状の棒状当接部と、この棒状当接部の中央端に設けられた柄とからなる工具を用いるのが好適である。
【発明の効果】
【００１１】
本発明によれば、突出部の他に、一対の刃金と２本のくさびだけでよく、前記公報記載の取付具に比べて、部品点数を低減できるだけでなく、各部品の形状も簡素化できるので、コストを削減できる。その上、木質部材にも突出部を差し込む穴だけを形成すればよく、穴開け作業が楽になる。
【発明を実施するための最良の形態】
【００１２】
以下、実施の形態により、この発明を更に詳細に説明する。
【００１３】
その一実施形態に係る取付具の正面図を図１に、その突出部側から見た側面図を図２に示す。この取付具Ａは、木質部材同士を接合するために用いる金具であり、略四角形状のプレート１と、このプレート１の側部に突設された略円柱状の２個の突出部２からなる。プレート１は、Ｕ字状切欠１１、円形孔１２及び細長い長方形孔１３を有する。Ｕ字状切欠１１と円形孔１２は、この取付具Ａを木質部材（例えば桁）に固定するときに用いるＤピンが差し込まれるためのものである。長方形孔１３は、材料費を節減するためのものである。また、プレート１、円形孔１２及び長方形孔１３の周縁（縁から内側の実線までの部分）は厚肉になっているが、それ以外の部分は薄肉であり、これも材料費を節約するためである。
【００１４】
突出部２は、プレート１の平面と直交方向に延びる断面四角形状の貫通孔２０を有する。貫通孔２０は、突出部２０の外周面の一方側から他方側に突出部２０の直径方向に延び、外周面で開口している。
【００１５】
図３〔突出部２の正面図（ａ）、突出部２の基端側から見た部分側面図（ｂ）〕に示すように、突出部２には、その基端側から貫通孔２０に連通する一対の挿入穴２１，２２が形成されている。挿入穴２１，２２は、ここでは、それぞれ突出部２の基端の外寄り位置から貫通孔２０を通って突出部２の先端の中央寄り位置まで斜めに延び、先端中央で共通の開口２３となっている。また、挿入穴２１，２２は、突出部２の基端側においてプレート１を挟んで位置がずれている。挿入穴２１，２２の位置がずれているのは、後記一対の刃金４１，４２の作用部４１ａ，４２ａをそれぞれ後記くさび３０で押し退けるためである。この挿入穴２１，２２には、それぞれ図４のような形状の金属製のくさび３０が打ち込まれる。くさび３０は、突出部２の全長とほぼ同等か、或いは幾分短い長さを有する。      
【００１６】
図５に斜視図で示すように、突出部２の貫通孔２０に移動可能に配置される一対の刃金４１，４２は、それぞれくさび３０が当接する直方体状の作用部４１ａ，４２ａと、この作用部４１ａ，４２ａに連続する刃先４１ｃ，４２ｃ付きの刃部４１ｂ，４２ｂとからなる。刃先４１ｃ，４２ｃは、刃金４１，４２を突出部２の貫通孔２０に配置した状態（くさび３０を打ち込まない状態）では、突出部２の外周面と面一となるように円弧状になっている（図６参照）。この一対の刃金４１，４２は、各々の作用部４１ａ，４２ａが相対接触するとともに、各々の刃部４１ｂ，４２ｂが貫通孔２０の一方側及び他方側から突出するように、貫通孔２０に対称的に配置されている（図６参照）。
【００１７】
このように構成した取付具Ａでは、図６に示すように突出部２の貫通孔２０に一対の刃金４１，４２を配置しておく。一方、木質部材（例えば柱）５０の所定位置には、予め突出部２を挿入することのできる円柱状穴を形成しておく。この木質部材５０の円柱状穴に突出部２を基端まで差し込む。このとき、刃金４１，４２（刃部４１ｂ，４２ｂ）は貫通孔２０から突出していないので、突出部２を円柱状穴に挿入するのは容易である。
【００１８】
その後、突出部２の基端側において、適当な工具（金槌、木槌など）でくさび３０をそれぞれ挿入穴２１，２２から打ち込む。このとき、くさび３０は傾斜面側を内側（プレート１側）に向けて打ち込む。くさび３０を打ち込んでいくと、くさび３０の先端が一対の刃金４１，４２間の間隙（刃金４１の作用部４１ａと刃金４２の刃部４２ｂとの間隙、及び刃金４１の刃部４１ｂと刃金４２の作用部４２ａとの間隙、いずれも符号２０を付した部分）に入り込む。
【００１９】
挿入穴２１，２２は突出部２の先端に向かって斜めに延びているので〔図３の（ａ）〕、くさび３０を打ち込んでいくと、図７に示すように、くさび３０によって刃金４１，４２の基端側（作用部４１ａ，４２ａ）がそれぞれ矢印方向に押し退けられ、刃金４１，４２の刃部４１ｂ，４２ｂが貫通孔２０から突出し、木質部材５０に食い込む。しかも、打ち込んだくさび３０により、刃部４１ｂ，４２ｂが木質部材５０に食い込んだ状態が保持される。その結果、突出部２が木質部材５０の円柱状穴から抜けなくなり、取付具Ａが木質部材５０に固定される。
【００２０】
この取付具Ａによれば、突出部２の他に、一対の刃金４１，４２と２本のくさび３０だけでよく、部品点数を低減できるだけでなく、各部品の形状も簡素化できるので、コストを削減できる。その上、木質部材５０にも突出部２を挿入する円柱状穴だけを形成すればよく、穴開け作業が楽になる。
【００２１】
この取付具Ａでは、具体的には図８に示すように、木質部材（例えば柱）５０の所定位置に形成された円柱状穴に突出部２が差し込まれた後、図９に示すような音叉形状の工具７０を用いてくさび３０が打ち込まれる。工具７０は、突出部２の挿入穴２１，２２に挿入することのできるＵ字状の棒状当接部７１と、この棒状当接部７１の中央突端に設けられた柄とからなる。突出部２の挿入穴２１，２２にくさび３０の先端を挿入してから、くさび３０の基端に工具７０の棒状当接部７１の先端を当てる。このとき、挿入穴２１，２２の位置は多少ずれているが、棒状当接部７１は適度な弾性を有するので、棒状当接部７１の先端をくさび３０の基端に当てるのは問題ない。
【００２２】
そして、工具７０の柄を別の工具（金槌や木槌など）８０により叩き、棒状当接部７１を介してくさび３０を挿入穴２１，２２に打ち込む。これにより、前記したように、刃金４１，４２の刃部４１ｂ，４２ｂが貫通孔２０から突出して木質部材５０に食い込み、取付具Ａが木質部材５０に固定される。
【００２３】
一方、図１０において、取付具Ａの切欠１１及び円形孔１２に対応する孔（図示せず）と、取付具Ａを挿通することができる切込（図示せず、端部に形成される）とを、予めもう一方の木質部材（桁）５１の端部に形成しておく。この桁５１の切欠１１の対応孔にＤピン（図示せず）を差し込み、Ｄピンが取付具Ａの切欠１１の基端に係合するまで、桁５１の切込に取付具Ａを通しながら桁５１を取付具Ａの上部より落とし込む（図１０の状態）。続いて、桁５１に下向きの適度な圧力を加えるとともに、取付具Ａの円形孔１２と桁５１の円形孔１２の対応孔にＤピン（図示せず）を差し込み、上下のＤピンをナットによって固定する。これにより、取付具Ａを用いた柱５０と桁５１との接合が完了する。
【図面の簡単な説明】
【００２４】
【図１】一実施形態に係る取付具の正面図である。
【図２】同取付具を突出部側から見た側面図である。
【図３】同取付具の突出部の正面図（ａ）、及びその突出部の基端側から見た部分側面図（ｂ）である。
【図４】同取付具の突出部の挿入穴に打ち込むくさびの斜視図である。
【図５】同取付具の突出部の貫通孔に配置する一対の刃金の斜視図である。
【図６】同取付具の突出部の貫通孔に一対の刃金を配置した当該突出部を木質部材の円柱状穴に差し込んだ状態の要部拡大断面図である。
【図７】同取付具の突出部の貫通孔に一対の刃金を配置した当該突出部を木質部材の円柱状穴に差し込み、更に突出部の挿入穴にくさびを打ち込んだ状態の要部拡大断面図である。
【図８】同取付具を木質部材（柱）に固定する仕方を説明するための側面図である。
【図９】同取付具を木質部材（柱）に固定するときに用いるくさび打ち込み用の工具の斜視図である。
【図１０】同取付具を用いて木質部材（柱）と木質部材（桁）を接合したときの状態を示す部分省略側面図である。
【図１１】木質部材同士を接合するのに用いる従来の取付具の正面図である。
【図１２】図１１に示す取付具を突出部とは反対側から見た側面図である。
【符号の説明】
【００２５】
Ａ                木造建築用仕口取付具
１                プレート
２                突出部
２０              貫通孔
２１              挿入穴
３０              くさび
４１，４２        刃金
４１ａ，４２ａ    作用部
４１ｂ，４２ｂ    刃部
４１ｃ，４２ｃ    刃先
５０              木質部材（柱）
５１              木質部材（桁）
７０              工具（くさび打ち込み用の工具）
７１              棒状当接部
【図１】
2005120616.tif 000003
【図２】
2005120616.tif 000004
【図３】
2005120616.tif 000005
【図４】
2005120616.tif 000006
【図５】
2005120616.tif 000007
【図６】
2005120616.tif 000008
【図７】
2005120616.tif 000009
【図８】
2005120616.tif 000010
【図９】
2005120616.tif 000011
【図１０】
2005120616.tif 000012
【図１１】
2005120616.tif 000013
【図１２】
2005120616.tif 000014